(57)【特許請求の範囲】
【請求項１】
第１のケースと第２のケースを重ね合わせて一体にされたケース本体と、該ケース本体の側面にその中心線よりオフセットした位置に形成された取付用嵌合部と、該取付用嵌合部に嵌合固定される留め具とを備え、前記留め具を第１のケースまたは第２のケース側に取り付け可能にすることを特徴とする携帯機器の留め具取付構造。
【発明の詳細な説明】
【０００１】
【発明の属する技術分野】
本発明は、携帯機器をポケットやバンドに固定するための留め具取付構造に関する。
【０００２】
【従来の技術】
従来、携帯機器のケースに弾性材料からなるクリップ状の留め具を取り付け、この留め具を上着のポケットやズボンのバンドに引っ掛けて固定していた。
【０００３】
【発明が解決しようとする課題】
しかしながら、従来の留め具は、ポケットに引っ掛ける場合には、留め具とケース間のクリアランスをポケットの厚みより小さく設定し、バンドに引っ掛ける場合には、留め具とケース間のクリアランスをバンドの厚みより小さく設定する必要があるため、ポケット用に設定した留め具をバンドに引っ掛けることはできず、また、バンド用に設定した留め具をポケットに引っ掛けると緩すぎるという問題を有している。
【０００４】
本発明は、上記の従来の問題を解決するものであって、一つの留め具によりポケット固定用にも、バンド固定用にも取り付けることができる携帯機器の留め具取付構造を提供することを目的とする。
【０００５】
【課題を解決するための手段】
上記の目的を達成するために、本発明の携帯機器の留め具取付構造は、第１のケースと第２のケースを重ね合わせて一体にされたケース本体と、該ケース本体の側面にその中心線よりオフセットした位置に形成された取付用嵌合部と、該取付用嵌合部に嵌合固定される留め具とを備え、前記留め具を第１のケースまたは第２のケース側に取り付け可能にすることを特徴とする。
【０００６】
【発明の実施の形態】
以下、図面を参照しつつ本発明の実施の形態について説明する。図１は、本発明の携帯機器の留め具取付構造の１実施形態を示し、図Ａは分解斜視図、図Ｂは図Ａを表側から見た斜視図、図Ｃは図Ａを裏側から見た斜視図、図Ｄは図Ｂの側面図である。
【０００７】
図Ａにおいて、携帯機器は、ケース本体１と留め具２からなり、ケース本体１は、表側の第１のケース１ａと裏側の第２のケース１ｂを重ねて合わせて一体にした構造になっている。第２のケース１ｂの側面には、スリット状の取付用嵌合部１ｃが形成され、また、第２のケース１ｂの表面には取付用嵌合部１ｃ内に貫通するネジ孔１ｄ（図Ｃ）が形成されている。
【０００８】
留め具２は、樹脂または金属製の弾性材料からなり、前記取付用嵌合部１ｃに嵌合される取付部２ａと、取付部２ａの下方に形成されるネジ孔２ｂと、平面視コ字状で取付部２ａの両側からケース本体１に沿って延びる挟み片２ｃと、挟み片２ｃの下方に形成される押圧部２ｄ（図Ｄ）から構成されている。なお、留め具２の形状はこれに限定されるものではなく、要するにポケットやバンドに引っ掛けできるクリップ状の形状であればよい。
【０００９】
留め具２をケース本体１に取り付ける場合には、留め具２の取付部２ａを図Ａの矢印に示すように、第２のケース１ｂの取付用嵌合部１ｃ内に挿入し、ネジ３をネジ孔１ｄ、２ｂに螺合して留め具２を固定する。この場合、留め具２の押圧部２ｄは第１のケース１ａに押圧されるように設計されている。従って、留め具２を上着のポケットに差し込む場合に有効な止め方となる。
【００１０】
図２は、図１の留め具２の他の取付例を示し、図Ａは分解斜視図、図Ｂは図Ａを表側から見た斜視図、図Ｃは図Ａを裏側から見た斜視図、図Ｄは図Ｂの側面図である。なお、図１と同一の構成については同一番号を付して説明を省略する。
【００１１】
図１の取付構造においては、留め具２の挟み片２ｃが第１のケース１ａ側にくるように取り付けているが、本例の取付構造においては、留め具２の挟み片２ｃが第２のケース１ｂ側にくるように取り付けている。この場合、図Ｄに示すように、留め具２の押圧部２ｄは第２のケース１ｂとの間にクリアランスｃが生じることになり、従って、留め具２をズボンのバンドに差し込む場合に有効な止め方となる。
【００１２】
なお、上記実施形態においては、第２のケース１ｂの側面に取付用嵌合部１ｃを形成しているが、第１のケース１ａ側に取付用嵌合部１ｃを形成してもよく、要するにケース本体１の側面の中心線よりオフセットした位置に取付用嵌合部１ｃを設ければ、図１と図２の取付構造が可能となるものである。
【００１３】
図３〜図５は、本発明を携帯型無線送信機に適用した例を示し、図３および図４は、留め具の異なる取付構造を示し、それぞれ図Ａは分解斜視図、図Ｂは図Ａを表側から見た斜視図、図Ｃは図Ａを裏側から見た斜視図、図Ｄは図Ｂの側面図、図５は、携帯型無線送信機の回路構成図である。なお、上記実施形態と同一の構成については同一番号を付して説明を省略する。
【００１４】
図４において、携帯型無線送信機の第１のケース１ａ側には押しボタンスイッチ４とＬＥＤからなる表示ランプ５が設けられ、この、携帯型無線送信機を携行する者が何らかの異常を発見したとき、あるいは当該者に異常が発生したときに押しボタンスイッチ４を押すと、所定のデータが無線送信され、無線送信されたデータの受信側では、どの箇所から当該データが無線送信されたか、すなわちどの箇所で押しボタンスイッチ４が押されたかを知ることができる。
【００１５】
図５において、押しボタンスイッチ４が押されるとＣＰＵ１１に割り込みがかかり、スイッチ１７を閉じるとともに、送信すべきデータを変調部１２に渡す。そしてこのデータは変調部１２で変調され、増幅器１３で増幅され、フィルタ１４で帯域制限され、さらに増幅器１５で増幅されてアンテナ１８から無線送信される。
【００１６】
本実施形態の場合、図３に示すように、留め具２を第１のケース１ａ側に沿って取り付けた場合には、留め具２の挟み片２ｃにより押しボタンスイッチ４を保護することができ、その誤操作を防止することができる。
【００１７】
以上、本発明の実施の形態について説明したが、本発明はこれに限定されるものではなく種々の変更が可能である。例えば、上記実施形態においては、留め具２をネジ３により固定しているが、これに限定されるものではなく、ネジを用いない周知の係合機構を採用するようにしてもよい。
【００１８】
【発明の効果】
以上の説明から明らかなように、本発明によれば、第１のケースと第２のケースを重ね合わせて一体にされたケース本体と、該ケース本体の側面にその中心線よりオフセットした位置に形成された取付用嵌合部と、該取付用嵌合部に嵌合固定される留め具とを備え、前記留め具を第１のケースまたは第２のケース側に取り付け可能にすることにより、携帯機器を一つの留め具によりポケット固定用にも、バンド固定用にも取り付けることができる。
【図面の簡単な説明】
【図１】本発明の携帯機器の留め具取付構造の１実施形態を示し、図Ａは分解斜視図、図Ｂは図Ａを表側から見た斜視図、図Ｃは図Ａを裏側から見た斜視図、図Ｄは図Ｂの側面図である。
【図２】図１の留め具の他の取付例を示し、図Ａは分解斜視図、図Ｂは図Ａを表側から見た斜視図、図Ｃは図Ａを裏側から見た斜視図、図Ｄは図Ｂの側面図である。
【図３】本発明を携帯型無線送信機に適用した例を示し、図Ａは分解斜視図、図Ｂは図Ａを表側から見た斜視図、図Ｃは図Ａを裏側から見た斜視図、図Ｄは図Ｂの側面図である。
【図４】図３の留め具の他の取付例を示し、図Ａは分解斜視図、図Ｂは図Ａを表側から見た斜視図、図Ｃは図Ａを裏側から見た斜視図、図Ｄは図Ｂの側面図である。
【図５】図３の携帯型無線送信機の回路構成図である。
【符号の説明】
１…ケース本体
１ａ…第１のケース
１ｂ…第２のケース
１ｃ…取付用嵌合部
２…留め具
【図１】
0004315312.tif 000002
【図２】
0004315312.tif 000003
【図３】
0004315312.tif 000004
【図４】
0004315312.tif 000005
【図５】
0004315312.tif 000006